(57)【要約】【課題】この発明は、大記録容量を有するＨＤＤを装置内に効率的に搭載することができ、実用化を効果的に促進させ得るようにした映像信号処理装置を提供することを目的としている。【解決手段】映像信号を受信する受信手段２３，２８，３１，３３と、受信した映像信号に所定の信号処理を施す信号処理手段２４〜２６，２９，３０，３２，３４，３５と、信号処理が施された映像信号を表示する映像表示手段１４とを有する装置本体と１２；ＨＤＤ５２を内蔵したＨＤＤユニット２０と；所定の基台上に載置され、映像表示手段１４の映像表示画面を起立させるように装置本体１２を支持するもので、その内部にＨＤＤユニット２０を着脱可能に収容する収容部４２を有するスタンド１３とを備える。【選択図】    図１
2006246250.tif 000002
【特許請求の範囲】
【請求項１】
映像信号を受信する受信手段と、前記受信手段で受信した映像信号に所定の信号処理を施す信号処理手段と、前記信号処理手段で所定の信号処理が施された映像信号を表示する映像表示手段とを有する装置本体と、
ＨＤＤを内蔵したＨＤＤユニットと、
所定の基台上に載置され、前記映像表示手段の映像表示画面を起立させるように前記装置本体を支持するもので、その内部に前記ＨＤＤユニットを着脱可能に収容する収容部を有し、前記収容部に前記ＨＤＤユニットが収容された状態で、前記ＨＤＤと前記信号処理手段との間で映像信号の伝送を可能とするスタンドとを具備することを特徴とする映像信号処理装置。
【請求項２】
前記ＨＤＤユニットを前記収容部内に挿入したとき、前記ＨＤＤユニットを前記装置本体に電気的に接続する接続手段を具備することを特徴とする請求項１記載の映像信号処理装置。
【請求項３】
前記ＨＤＤユニットを、前記収容部に対して着脱するためのガイド手段を具備することを特徴とする請求項１または２記載の映像信号処理装置。
【請求項４】
前記スタンドに、前記収容部に収容された前記ＨＤＤユニットを制御するための操作手段を具備することを特徴とする請求項１乃至３いずれかに記載の映像信号処理装置。
【請求項５】
前記ＨＤＤユニット内に、前記ＨＤＤを覆うシールドケースを内蔵したことを特徴とする請求項１乃至４いずれかに記載の映像信号処理装置。
【請求項６】
前記ＨＤＤユニット内に、前記ＨＤＤの制御用回路基板を内蔵したことを特徴とする請求項１乃至５いずれかに記載の映像信号処理装置。
【請求項７】
前記ＨＤＤユニット内に、前記ＨＤＤを冷却するファンを内蔵したことを特徴とする請求項１乃至６いずれかに記載の映像信号処理装置。
【請求項８】
前記スタンドは、ほぼ薄型の箱状に形成され、その収容部中央に前記装置本体を支持するための１本の支持柱体が立設されており、前記ＨＤＤユニットは、前記支持柱体を避けて前記収容部に収容される形状を有することを特徴とする請求項１乃至７いずれかに記載の映像信号処理装置。
【請求項９】
テレビジョン放送信号を受信する受信手段と、前記受信手段で受信したテレビジョン放送信号に所定の信号処理を施して映像信号を復元する信号処理手段と、前記信号処理手段で復元された映像信号を表示する映像表示手段とを有する装置本体と、
ＨＤＤを内蔵したＨＤＤユニットと、
所定の基台上に載置され、前記映像表示手段の映像表示画面を起立させるように前記装置本体を支持するもので、その内部に前記ＨＤＤユニットを着脱可能に収容する収容部を有し、前記収容部に前記ＨＤＤユニットが収容された状態で、前記ＨＤＤと前記信号処理手段との間で映像信号の伝送を可能とするスタンドとを具備することを特徴とするテレビジョン放送受信装置。
【請求項１０】
前記スタンドに前記ＨＤＤユニットを制御するための操作手段を具備することを特徴とする請求項９記載のテレビジョン放送受信装置。
【発明の詳細な説明】
【技術分野】
【０００１】
この発明は、例えばデジタルテレビジョン放送受信装置等のような映像信号処理装置に関する。
【背景技術】
【０００２】
周知のように、近年では、テレビジョン放送のデジタル化が推進されてきている。例えば、日本国内においては、ＢＳ（broadcasting satellite）デジタル放送及び１１０度ＣＳ（communication satellite）デジタル放送等の衛星デジタル放送だけでなく、地上デジタル放送も開始されている。
【０００３】
そして、テレビジョン放送を受信するテレビジョン放送受信装置においては、例えば、ユーザが設定したジャンルやキーワード等に基づいて放送番組を自動記録しておき、その記録された番組の中からユーザが必要な番組を選択して視聴することができる機能を有するものが出現している。
【０００４】
この場合、放送番組を記録再生するための記録再生装置としては、多数の番組を記録することができる大記録容量が求められるとともに、記録した番組の中から所望の番組を迅速に検索して再生することができるアクセス性能が求められることから、ＨＤＤ（hard disk drive）が採用されている。
【０００５】
ところで、現在のテレビジョン放送受信装置にあっては、その映像表示部に液晶ディスプレイやプラズマディスプレイ等でなるフラットパネルディスプレイを採用した、薄型で大画面のものが普及する傾向にある。この場合、テレビジョン放送受信装置の薄型化を損なうことなく、装置内にＨＤＤを効率的に搭載するための対策を施すことが重要となる。
【０００６】
ここで、特許文献１及び特許文献２には、いずれも、デスクトップ形のパーソナルコンピュータにおいて、その液晶ディスプレイユニットを支持するための装置本体のうち、所定の載置面に置かれるベース部にハードディスク駆動装置を収容するようにした構成が開示されている。
【０００７】
また、特許文献３には、筐体の主面に液晶表示部を備えたパーソナルコンピュータにおいて、液晶表示部を筐体に対して開閉可能に設置し、ユーザが液晶表示部を開けることにより、筐体内部に設けられたＨＤＤベイにＨＤＤを実装することができるようにした構成が開示されている。
【特許文献１】特開２０００−３５７０２６号公報
【特許文献２】特開２００１−５５５８号公報
【特許文献３】特開２００２−１４７４５号公報
【発明の開示】
【発明が解決しようとする課題】
【０００８】
そこで、この発明は上記事情を考慮してなされたもので、大記録容量を有するＨＤＤを装置内に効率的に搭載することができ、実用化を効果的に促進させ得るようにした映像信号処理装置を提供することを目的とする。
【課題を解決するための手段】
【０００９】
この発明に係る映像信号処理装置は、映像信号を受信する受信手段と、受信手段で受信した映像信号に所定の信号処理を施す信号処理手段と、信号処理手段で所定の信号処理が施された映像信号を表示する映像表示手段とを有する装置本体と；ＨＤＤを内蔵したＨＤＤユニットと；所定の基台上に載置され、映像表示手段の映像表示画面を起立させるように装置本体を支持するもので、その内部にＨＤＤユニットを着脱可能に収容する収容部を有し、収容部にＨＤＤユニットが収容された状態で、ＨＤＤと信号処理手段との間で映像信号の伝送を可能とするスタンドとを備えるようにしたものである。
【発明の効果】
【００１０】
上記した構成によれば、受信手段、信号処理手段及び映像表示手段を備えた装置本体を支持するためのスタンドに、ＨＤＤを内蔵したＨＤＤユニットを着脱可能に収容するようにしたので、装置本体の薄型化を損なうことなく、大記録容量を有するＨＤＤを収容することが可能となる。また、ＨＤＤユニットは、スタンドに対して着脱可能として、ユーザが容易に交換できるようにしたので、ＨＤＤの故障時におけるサービス性を向上させることができる。さらに、ユニット化することにより、ユーザがＨＤＤに直接触れられないようにしているので、安全性の点でも実用的である。
【発明を実施するための最良の形態】
【００１１】
以下、この発明の実施の形態について図面を参照して詳細に説明する。図１は、この実施の形態で説明するテレビジョン放送受信装置１１の正面側の外観を示している。すなわち、このテレビジョン放送受信装置１１は、主として、装置本体となるほぼ四角形状に形成された薄型のキャビネット１２と、このキャビネット１２を起立させて支持するスタンド１３とから構成されている。
【００１２】
そして、上記キャビネット１２には、その正面に、例えば平面型液晶表示パネル等でなる映像表示器１４の表示画面１４ａが露出されるとともに、一対のスピーカ１５、操作部１６、後述するリモートコントローラ（図１では図示せず）１７から送信される操作情報を受けるための受光部１８等が配置されている。
【００１３】
また、上記スタンド１３は、ほぼ薄型の箱状に形成されており、その一方の平面である底面板１３ａを、水平に設置された所定の基台（図示せず）上に載置するように構成されている。そして、このスタンド１３は、上記基台上に載置される面と反対側の面である上面板１３ｂのほぼ中央部から上方に突出する支持部材１９が、上記キャビネット１２の背面に連結されることにより、キャビネット１２を起立させた状態で支持している。
【００１４】
ここで、上記スタンド１３は、その内部に後述するＨＤＤユニット（図１では図示せず）２０を収容可能となされている。そして、このスタンド１３の上面板１３ｂには、キャビネット１２よりも正面側にせり出している部分に、ＨＤＤユニット２０を記録、再生、停止状態等に制御するための、押圧操作可能な複数（図示の場合は４つ）の操作子２１が配置されている。
【００１５】
図２は、上記テレビジョン放送受信装置１１の信号処理系を概略的に示している。この信号処理系を構成する各種の回路ブロックは、主として、上記キャビネット１２の内部で背面に近い位置、つまり、上記映像表示器１４の表示画面１４ａの裏側あたりに配置されている。
【００１６】
そして、デジタルテレビジョン放送受信用のアンテナ２２で受信したデジタルテレビジョン放送信号は、入力端子２３を介してチューナ部２４に供給される。このチューナ部２４は、入力されたデジタルテレビジョン放送信号から所望のチャンネルの信号を選局し復調している。そして、このチューナ部２４から出力された信号は、デコーダ部２５に供給されて、例えばＭＰＥＧ（moving picture experts group）２デコード処理が施された後、セレクタ２６に供給される。
【００１７】
さらに、アナログテレビジョン放送受信用のアンテナ２７で受信したアナログテレビジョン放送信号は、入力端子２８を介してチューナ部２９に供給される。このチューナ部２９は、入力されたアナログテレビジョン放送信号から所望のチャンネルの信号を選局し復調している。そして、このチューナ部２９から出力された信号は、Ａ／Ｄ（analog／digital）変換部３０によりデジタル化された後、上記セレクタ２６に出力される。
【００１８】
また、アナログ信号用の入力端子３１に供給されたアナログの映像及び音声信号は、Ａ／Ｄ変換部３２に供給されてデジタル化された後、上記セレクタ２６に出力される。さらに、デジタル信号用の入力端子３３に供給されたデジタルの映像及び音声信号は、そのまま上記セレクタ２６に供給される。
【００１９】
上記セレクタ２６は、４種類の入力デジタル映像及び音声信号から１つを選択して、信号処理部３４に供給している。この信号処理部３４は、入力されたデジタル映像信号に所定の信号処理を施して上記映像表示器１４での映像表示に供させている。この映像表示部１４としては、例えば、液晶ディスプレイやプラズマディスプレイ等でなるフラットパネルディスプレイが採用される。また、上記信号処理部３４は、入力されたデジタル音声信号に所定の信号処理を施し、アナログ化して上記スピーカ１５に出力することにより、音声再生を行なっている。
【００２０】
ここで、このテレビジョン放送受信装置１１は、上記した各種の受信動作を含む種々の動作を制御部３５によって統括的に制御されている。この制御部３５は、ＣＰＵ（central processing unit）等を内蔵したマイクロプロセッサであり、上記操作部１６や操作子２１（図２では図示せず）からの操作情報、または、上記リモートコントローラ１７から送信された操作情報を受光部１８を介して受けることにより、その操作内容が反映されるように各部をそれぞれ制御している。
【００２１】
この場合、制御部３５は、メモリ部３６を使用している。このメモリ部３６は、主として、そのＣＰＵが実行する制御プログラムを格納したＲＯＭ（read only memory）と、該ＣＰＵに作業エリアを提供するためのＲＡＭ（random access memory）と、各種の設定情報及び制御情報等が格納される不揮発性メモリとを備えている。
【００２２】
ここで、上記制御部３５は、スタンド１３内に収容されたＨＤＤユニット２０と接続されている。この場合、制御部３５からＨＤＤユニット２０に電源電力及び制御信号の供給を行なうライン３７は、接続部３８を介して制御部２６とＨＤＤユニット２０とを接続している。
【００２３】
また、制御部３５とＨＤＤユニット２０との間でデジタル映像及び音声信号を授受するライン３９は、ｉ．Link接続部４０を介して制御部３５とＨＤＤユニット２０とを接続している。すなわち、制御部３５とＨＤＤユニット２０との間でのデジタル映像及び音声信号の伝送は、電源及び制御信号とは別個にｉ．Linkによって行なわれる。
【００２４】
そして、上記テレビジョン放送受信装置１１は、セレクタ２６で選択されたデジタルの映像及び音声信号を、ＨＤＤユニット２０により記録することができるとともに、ＨＤＤユニット２０に記録されたデジタルの映像及び音声信号を再生し、視聴に供させることができる。
【００２５】
図３は、上記スタンド１３を背面側から見た状態を示している。すなわち、スタンド１３は、前述したようにほぼ薄型の箱状に形成されており、その背面板１３ｃから上面板１３ｂのほぼ中央部にかけての大部分が連続的に開口されることにより、着脱用口１３ｄが形成されている。この着脱用口１３ｄは、図示しない蓋体によって閉塞することが可能である。
【００２６】
このスタンド１３の底面板１３ａのほぼ中央部には、円筒形状の支持柱体４１が垂直に突設されている。この支持柱体４１は、その先端部が上面板１３ｂに形成された着脱用口１３ｄを介して、上面板１３ｂよりも上方に突出されている。そして、この支持柱体４１の先端部に、上記キャビネット１２と連結される支持部材１９が取着されている。
【００２７】
また、スタンド１３は、その内部の大部分が空洞になっており、上記ＨＤＤユニット２０を収容可能な収容部４２となっている。この場合、ＨＤＤユニット２０は、スタンド１３の外部より、スタンド１３の背面側の着脱用口１３ｄから底面板１３ａに沿うように挿入されることによって、スタンド１３内部に収容される。また、スタンド１３内部に収容されたＨＤＤユニット２０は、スタンド１３の背面側の着脱用口１３ｄから底面板１３ａに沿うようにして、スタンド１３の外部に取り出すことができる。
【００２８】
すなわち、ＨＤＤユニット２０は、スタンド１３内に収容されて映像及び音声信号の記録再生を行なえるとともに、スタンド１３に対して着脱が可能なように、つまり、交換が可能となるように構成されている。
【００２９】
図４は、上記ＨＤＤユニット２０の外観を示している。このＨＤＤユニット２０は、上記スタンド１３内に、その内部をほぼ占有するように収容される、薄型の箱状に形成されたユニットケース４３を備えている。このユニットケース４３は、上側ユニットケース４３ａと下側ユニットケース４３ｂとを合体させることにより構成される。
【００３０】
そして、このユニットケース４３は、その正面４３ｃ、つまり、スタンド１３内に挿入される際の挿入方向先端部に、そのほぼ中央部から内方に向けて大きく削除された逃げ部４３ｄが形成されており、全体としては、平面的に見てほぼコ字状に形成されている。このユニットケース４３の逃げ部４３ｄは、ユニットケース４３をスタンド１３内に挿入する際に、上記支持柱体４１を避けるために形成されている。
【００３１】
また、ユニットケース４３のスタンド１３内への挿入方向先端部のうち、図４の上で逃げ部４３ｄの右側に対応する部分には、コネクタ４４が設置されている。このコネクタ４４は、図２に示した接続部３８に相当しており、ユニットケース４３がスタンド１３内に収容されたとき、キャビネット１２側から電源電力及び制御信号の供給を受けるために使用される。
【００３２】
さらに、ユニットケース４３のスタンド１３内への挿入方向先端部のうち、図４の上で逃げ部４３ｄの左側に対応する部分には、その上側ユニットケース４３ａに複数（図示の場合は４つ）の操作片４５が形成されている。これらの操作片４５は、ユニットケース４３がスタンド１３内に収容されたとき、スタンド１３の上面板１３ｂに配置された各操作子２１に対応する位置に形成されている。
【００３３】
これらの操作片４５は、それぞれ、上側ユニットケース４３ａを舌状に裁断して弾性を持たせたもので、操作子２１が押圧操作されると、その操作子２１に押されてユニットケース４３の内方に弾性変形し、ユニットケース４３内に設置されたスイッチ（図４では図示せず）４６を押圧操作するという、操作力の中継を行なっている。
【００３４】
また、ユニットケース４３のスタンド１３内への挿入方向後端部、つまり、背面４３ｅには、ユニットケース４３をスタンド１３内から引き出すための手かけ部４７が設置されている。
【００３５】
さらに、ユニットケース４３の背面４３ｅには、ｉ．Linkコネクタ４８が設置されている。このｉ．Linkコネクタ４８は、図２に示したｉ．Link接続部４０に相当しており、ユニットケース４３がスタンド１３内に収容されたとき、キャビネット１２側との映像及び音声信号の授受を行なうために使用される。
【００３６】
この場合、ｉ．Linkコネクタ４８には、キャビネット１２側から延出される図２に示したライン３９に相当する信号線（図４では図示せず）４９が接続されることになる。そこで、上側ユニットケース４３ａには、その平面部に、上記信号線４９を収容しｉ．Linkコネクタ４８まで案内するためのガイド溝４３ｆが形成されている。
【００３７】
また、ユニットケース４３のスタンド１３内への挿入方向に直交する方向、つまり、幅方向の一対の側面４３ｇには、それぞれ、ユニットケース４３をスタンド１３内に挿入する際の案内となるガイド面４３ｈが形成されている。このガイド面４３ｈは、ユニットケース４３がスタンド１３内への挿入される際に上方を向き、かつ、挿入方向に沿うように形成されている。
【００３８】
さらに、このガイド面４３ｈには、ユニットケース４３のスタンド１３内への挿入方向後端部寄りに、板ばね４３ｈ１が形成されている。この板ばね４３ｈ１は、例えば、ガイド面４３ｈを舌状に裁断して、ガイド面４３ｈよりも上方に付勢力を発するように形成されるものとする。
【００３９】
また、上記上側ユニットケース４３ａには、その平面部のうち、逃げ部４３ｄの最奥に対応する位置に、取付片４３ｉが形成されている。この取付片４３ｉには、ユニットケース４３のスタンド１３内への挿入方向に沿ってねじ５０が挿通されるようになっている。このねじ５０は、ユニットケース４３がスタンド１３内に収容されたとき、スタンド１３内の支持柱体４１に螺着して、ユニットケース４３を固定するものである。なお、このねじ５０としては、ユーザがねじ回し等の工具を用いることなく、素手で回すことができるタイプのものが使用される。
【００４０】
図５は、上記スタンド１３を背面側から見た状態を示している。図３に比べて、支持柱体４１から支持部材１９を取り除いている点が異なっている。すなわち、ユニットケース４３の上側ユニットケース４３ａに形成された取付片４３ｉには、上記ねじ５０が挿通される透孔４３ｉ１が形成されている。また、支持柱体４１には、ユニットケース４３がスタンド１３内に収容されたとき、取付片４３ｉの透孔４３ｉ１と対向する位置に、上記ねじ５０が螺着されるねじ孔４１ａが形成されている。
【００４１】
図６は、上記ＨＤＤユニット２０の内部構成を示している。すなわち、下側ユニットケース４３ｂには、その逃げ部４３ｄを挟んだ両側のうち、上記コネクタ４４が設置されている側に、コネクタ４４に接続された中継用回路基板５１と、ＨＤＤ本体５２とが収容されている。
【００４２】
また、下側ユニットケース４３ｂには、その逃げ部４３ｄを挟んだ両側のうち、上側ユニットケース４３ａの操作片４５によって押圧されるスイッチ４６が設置される側に、該スイッチ４６が接続された操作電源用回路基板５３と、上記ｉ．Linkコネクタ４８が接続された制御用回路基板５４とが収容されている。
【００４３】
さらに、下側ユニットケース４３ｂの中央部には、冷却用のファン５５が設置されている。
【００４４】
そして、上記ＨＤＤ本体５２及び制御用回路基板５４をシールドケース５６によって覆うことにより、デジタル高速処理における不要輻射の漏れを抑え、下側ユニットケース４３ｂと上側ユニットケース４３ａとを合体させることにより、ＨＤＤユニット２０が構成される。
【００４５】
図７は、下側ユニットケース４３ｂにシールドケース５６が取り付けられた状態を示している。シールドケース５６のファン５５に対応する部分には、ファン５５の径とほぼ同どの径を有する開口部５６ａが形成され、放熱のための空気流が妨害されないように対策されている。
【００４６】
図８は、ＨＤＤユニット２０が内部に収容されたスタンド１３を正面側から見た状態を示している。すなわち、ＨＤＤユニット２０は、スタンド１３の上面板１３ｄによって、そのスタンド１３内への挿入方向先端部からほぼ中央部分までが覆われるようになる。そして、スタンド１３の着脱用口１３ｄを図示しない蓋体によって閉塞することにより、ＨＤＤユニット２０が露出することなくスタンド１３内に収容される。
【００４７】
ここで、上記キャビネット１２からは、スタンド１３内に収容されたＨＤＤユニット２０との電気的接続を図るために、前述した信号線４９と電源制御線５７とがスタンド１３の収容部４２内に向けて延出されている。
【００４８】
このうち、信号線４９は、前述したように、図２に示したライン３９に相当し、キャビネット１２側との映像及び音声信号の授受を行なうために使用されるものである。この信号線４９には、その先端部に、ＨＤＤユニット２０の背面４３ｅに設置されたｉ．Linkコネクタ４８と接続するためのｉ．Linkコネクタ５８（図２のｉ．Link接続部４０に相当）が取着されている。
【００４９】
そして、スタンド１３内にＨＤＤユニット２０を収容した状態で、信号線４９を上側ユニットケース４３ａに形成されたガイド溝４３ｆ内に収容させて引き回し、その先端部に取着されたｉ．Linkコネクタ５８を、ＨＤＤユニット２０の背面４３ｅに設置されたｉ．Linkコネクタ４８と接続する。これにより、キャビネット１２側とＨＤＤユニット２０との間で、映像及び音声信号の伝送を行なうことが可能となる。
【００５０】
また、上記電源制御線５７は、図２に示したライン３７に相当し、キャビネット１２側からＨＤＤユニット２０に対して電源電力及び制御信号の供給を行なうために使用されるものである。
【００５１】
図９は、スタンド１３の上面板１３ｂを取り外した状態を示している。すなわち、スタンド１３内には、そこに収容されたＨＤＤユニット２０のコネクタ４４と対応する位置にコネクタ５９が設置されている。このコネクタ５９は、図２に示した接続部３８に相当しており、ＨＤＤユニット２０がスタンド１３内に収容されたとき、ＨＤＤユニット２０のコネクタ４４が接続されるようになっている。
【００５２】
このコネクタ５９は、スタンド１３の底面板１３ａに取着された中継用回路基板６０に取着されている。そして、この中継用回路基板６０に、キャビネット１２側から延出された上記電源制御線５７が接続されている。これにより、電源制御線５７、中継用回路基板６０、コネクタ５９，４４を介して、キャビネット１２側からＨＤＤユニット２０に対して電源電力及び制御信号の供給を行なうことができる。
【００５３】
この場合、中継用回路基板６０のスタンド１３内における設置位置は、図９に示す位置から図８を見て容易に想定されるように、上面板１３ｂで覆われるスタンド１３内の領域のうち、着脱用口１３ｄからみて最も奥側になっている。このため、スタンド１３内からＨＤＤユニット２０を取り出した状態で、中継用回路基板６０にユーザが容易に触れられないようになされている。
【００５４】
また、スタンド１３の底面板１３ａには、キャビネット１２側から延出された電源制御線５７を中継用回路基板６０に導くための、保護経路６１が形成されている。この保護経路６１は、内部に電源制御線５７を収容して引き回す溝状に形成されており、スタンド１３内からＨＤＤユニット２０を取り出した状態で、電源制御線５７にユーザが触れられないように保護している。
【００５５】
ここで、スタンド１３の底面板１３ａには、ＨＤＤユニット２０の一対の側面４３ｇ及びそこに形成されたガイド面４３ｈにそれぞれ係合する２対のガイド部材６２，６３が、ＨＤＤユニット２０の挿入方向に沿って設置されている。
【００５６】
これらガイド部材６２，６３は、それぞれ、ＨＤＤユニット２０をその幅方向に挟むように互いに対向して設置されており、ＨＤＤユニット２０の側面４３ｇに係合してその幅方向の位置規制を行なう第１のガイド部６２ａ，６３ａと、ＨＤＤユニット２０の側面４３ｇに形成されたガイド面４３ｈと係合してその高さ方向の位置規制を行なう第２のガイド部６２ｂ，６３ｂとを備えている。
【００５７】
この場合、スタンド１３の着脱用口１３ｄに対して奥側に位置するガイド部材６３は、その第１及び第２のガイド部６３ａ，６３ｂが、ＨＤＤユニット２０の側面４３ｇ及びガイド面４３ｈにほぼ隙間なく接触されるように設定されている。
【００５８】
これに対し、スタンド１３の着脱用口１３ｄに近い側に位置するガイド部材６２は、その第１及び第２のガイド部６２ａ，６２ｂが、ＨＤＤユニット２０の側面４３ｇ及びガイド面４３ｈに対して、若干の隙間が形成されるように設定されている。
【００５９】
これにより、ＨＤＤユニット２０をスタンド１３内に挿入し易くなり、かつ、挿入した状態でコネクタ４４をコネクタ５９に正しく接続させることが可能となる。
【００６０】
また、スタンド１３の着脱用口１３ｄに近い側に位置するガイド部材６２には、その第１のガイド部６２ａにＨＤＤユニット２０の側面４３ｇに圧設される板ばね６２ｃが形成されている。この板ばね６２ｃは、例えば第１のガイド部６２ａの一部を舌状に裁断して弾性を持たせたものである。これにより、スタンド１３内に収容されたＨＤＤユニット２０の、幅方向のがたつきを抑えることができる。
【００６１】
さらに、ＨＤＤユニット２０は、スタンド１３内に収容された状態で、そのガイド面４３ｈに形成された板ばね４３ｈ１（図４参照）が、ガイド部材６３の第２のガイド部６３ｂに圧設される。これにより、スタンド１３内に収容されたＨＤＤユニット２０の、高さ方向のがたつきを抑えることができる。
【００６２】
図１０は、内部にＨＤＤユニット２０を収容したスタンド１３の上面板１３ｂを取り外した状態を示している。すなわち、ＨＤＤユニット２０のコネクタ４４が、スタンド１３内の中継用回路基板６０に取り付けられたコネクタ５９に接続されていることがわかる。また、この中継用回路基板６０をキャビネット１２側に電気的に接続する電源制御線５７が、スタンド１３内に形成された保護経路６１に収容されていることがわかる。
【００６３】
図１１は、内部にＨＤＤユニット２０を収容したスタンド１３を上面側から見た状態を示している。すなわち、キャビネット１２側とＨＤＤユニット２０との間で映像及び音声信号を伝送する信号線４９が、ＨＤＤユニット２０に形成されたガイド溝４３ｆ内に収容されるとともに、その先端部に取着されたｉ．Linkコネクタ５８がＨＤＤユニット２０の背面４３ｅに設置されたｉ．Linkコネクタ４８に接続されていることがわかる。
【００６４】
また、スタンド１３内のガイド部材６２によって、ＨＤＤユニット２０の側面４３ｅ及びガイド面４３ｈが案内されていることがわかる。
【００６５】
ここで、ＨＤＤユニット２０は、スタンド１３内に収容されている状態で、ユーザが、その手かけ部４７を持って引き出すことにより、スタンド１３内から取り出される。この場合、ユーザが、一方の手によりキャビネット１２を抑え安定させた状態で、他方の手により手かけ部４７を持ちＨＤＤユニット２０の取り出しを行なえるように、つまり、片手でＨＤＤユニット２０を引き出せるように、手かけ部４７の位置が考慮されている。
【００６６】
すなわち、図１０に示したように、平面的にほぼコ字状に形成されたＨＤＤユニット２０は、その逃げ部４３ｄを挟んで併設される２つの部分のうち、ＨＤＤ本体５２を収容している部分の方が、他方の部分よりも重量的に重くなっている。つまり、ＨＤＤユニット２０の重心位置は、ＨＤＤユニット２０の幅方向の中心線Ｃ１上に存在せず、この中心線Ｃ１よりもＨＤＤ本体５２を収容している部分寄りに存在することになる。
【００６７】
また、このＨＤＤ本体５２を収容している部分は、スタンド１３内のコネクタ５９と接続されるコネクタ４４を有している。このため、ＨＤＤユニット２０をスタンド１３から引き出す際には、ＨＤＤユニット２０のコネクタ４４をスタンド１３内のコネクタ５９から引き抜くための負荷が、ＨＤＤ本体５２を収容している部分に加わることになる。
【００６８】
このため、ＨＤＤユニット２０のコネクタ４４をスタンド１３内のコネクタ５９から引き抜いて、ＨＤＤユニット２０をスタンド１３から引き出すための手かけ部４７は、その中心線Ｃ２を、ＨＤＤユニット２０の幅方向の中心線Ｃ１よりもＨＤＤ本体５２を収容している部分寄りに設定することにより、片手で容易にＨＤＤユニット２０をスタンド１３内から取り出すことが可能となる。
【００６９】
また、スタンド１３の底面板１３ａには、その背面側に、テレビジョン放送受信装置１１の全体の重心位置を考慮して設定された一対の転倒防止バンド６４が設置されている。この場合、上記手かけ部４７は、その中心線Ｃ２が一対の転倒防止バンド６４の間に存在するように設定されることが好ましい。
【００７０】
なお、図２では、テレビジョン放送受信装置１１の信号処理系を、キャビネット１２とスタンド１３とに分割して記載したが、信号処理系としては、キャビネット１２とスタンド１３とを特に区別して記載する必要はなく、図１２に示すように、テレビジョン放送受信装置１１がＨＤＤユニット２０を内蔵しているというように等価的に記載することができる。
【００７１】
上記した実施の形態によれば、まず、テレビジョン放送受信装置１１の映像表示器１４を備えたキャビネット１２を支持するためのスタンド１３に、ＨＤＤユニット２０つまりＨＤＤ本体５２が内蔵されるようにしたので、キャビネット１２の薄型化を損なうことなく、大記録容量を有するＨＤＤ本体５２を収容することが可能となる。
【００７２】
また、スタンド１３内にＨＤＤ本体５２を収容することにより、ＨＤＤ本体５２でのデジタル高速処理における不要輻射が、キャビネット１２内の各種信号処理系に届きにくくなって、映像及び音声の再生に悪影響を及ぼすことが防止される。さらに、スタンド１３内にＨＤＤ本体５２を収容することにより、ＨＤＤ本体５２で発生した熱が、キャビネット１２内の各種信号処理系に悪影響を及ぼすことも防止される。
【００７３】
ここで、ＨＤＤ本体５２は、ユニットケース４３に収容することにより、ＨＤＤユニット２０としてユニット化し、スタンド１３に対して着脱可能として、ユーザが容易に交換できるようにしたので、ＨＤＤ本体５２の故障時におけるサービス性を向上させることができる。また、ユニット化することにより、ユーザがＨＤＤ本体５２に直接触れられないようにしているので、安全性の点でも実用的である。
【００７４】
この場合、ＨＤＤユニット２０は、スタンド１３内に設置された支持柱体４１を避けるために、平面的に見てほぼコの字型に形成している。そして、ＨＤＤユニット２０の側面４３ｇにガイド面４３ｈを形成し、スタンド１３内にＨＤＤユニット２０の側面４３ｇ及びガイド面４３ｈにそれぞれ係合する２対のガイド部材６２，６３を設置して、スタンド１３に対するＨＤＤユニット２０の着脱が容易に行なえるようにしている。
【００７５】
特に、スタンド１３の着脱用口１３ｄに対して奥側に位置するガイド部材６３は、ＨＤＤユニット２０の側面４３ｇ及びガイド面４３ｈにほぼ隙間なく接触されるように設定され、スタンド１３の着脱用口１３ｄに近い側に位置するガイド部材６２は、ＨＤＤユニット２０の側面４３ｇ及びガイド面４３ｈに対して、若干の隙間が形成されるように設定されているので、ＨＤＤユニット２０をスタンド１３内に挿入し易くなり、かつ、挿入した状態でコネクタ４４をコネクタ５９に正しく接続させることが可能となる。
【００７６】
また、ガイド部材６２に形成された板ばね６２ｃと、ＨＤＤユニット２０のガイド面４３ｈに形成された板ばね４３ｈ１とにより、スタンド１３内に収容されたＨＤＤユニット２０が、がたつきなく安定に保持されることになる。
【００７７】
さらに、ＨＤＤユニット２０の内部に冷却用のファン５５を設置するようにしたので、ＨＤＤ本体５２に対して効率的な放熱を行なうことができる。特に、ファン５５は、コ字状に形成されたＨＤＤユニット２０の中央部に設置しているので、逃げ部４３ｄを挟んだ両側の部分から発生する熱を効率的に放出することが可能となる。
【００７８】
また、ＨＤＤユニット２０の内部でＨＤＤ本体５２及び制御用回路基板５４をシールドケース５６によって覆うことにより、デジタル高速処理における不要輻射の漏れをより一層抑えることができる。
【００７９】
さらに、スタンド１３内に収容されたＨＤＤユニット２０に対する電源電力の供給は、テレビジョン放送受信装置１１の本体であるキャビネット１２側から供給するようにしている。
【００８０】
この場合、ＨＤＤユニット２０に対して電源電力及び制御信号の供給を行なう電源制御線５７は、スタンド１３内に設けられた保護経路６１に収容されて引き回されることにより、スタンド１３内からＨＤＤユニット２０を取り出した状態で、ユーザが触れられないように保護される。
【００８１】
また、電源制御線５７が接続される中継用回路基板６０は、スタンド１３内で着脱用口１３ｄからみて最も奥側に設置されているため、スタンド１３内からＨＤＤユニット２０を取り出した状態で、ユーザが容易に触れられないようになされている。
【００８２】
さらに、スタンド１３にＨＤＤユニット２０を制御するための操作子２１を設置し、ＨＤＤユニット２０にスタンド１３内に収容された状態で操作子２１に対応する位置に操作片４５を形成し、操作子２１の操作力が操作片４５を介してＨＤＤユニット２０内のスイッチ４６に伝達されるようにしている。これにより、スタンド１３に対して着脱可能となされているＨＤＤユニット２０に対して、その内蔵されたスイッチ４６を外部から操作可能となる。
【００８３】
ここで、上記操作子４６は、スタンド１３を正面側から見た場合、スタンド１３の右側に設置することが、ユーザが右手で操作することができて便利である。このため、ＨＤＤユニット２０内において、スイッチ４６は、逃げ部４３ｄを挟んで対抗する２つの部分のうち、操作子４６に対応する部分の挿入方向先端部に設置する必要がある。
【００８４】
これにより、スタンド１３内において、中継用回路基板６０が着脱用口１３ｄからみて最も奥側に設置し、ユーザが容易に触れられないようにするという条件を満足させるために、中継用回路基板６０のコネクタ５９と接続されるＨＤＤユニット２０のコネクタ４４を、逃げ部４３ｄを挟んで対抗する２つの部分のうち、スイッチ４６が設置されている部分と反対側の部分の挿入方向先端部に設置している。
【００８５】
また、ＨＤＤユニット２０は、ユーザが工具等を用いることなく、素手で回せるねじ５０によって、スタンド１３内に固定されるようにして、ユーザによる交換作業を容易化している。
【００８６】
さらに、スタンド１３内に収容されたＨＤＤユニット２０と、テレビジョン放送受信装置１１の本体であるキャビネット１２側との間における映像及び音声信号の伝送は、ｉ．Link接続によって行なわれている。
【００８７】
この場合、キャビネット１２側とＨＤＤユニット２０とを接続する信号線４９は、ＨＤＤユニット２０に形成されたガイド溝４３ｆ内に収容されて、ＨＤＤユニット２０の背面４３ｅまで導かれ、その先端部に取着されたｉ．Linkコネクタ５８がＨＤＤユニット２０の背面４３ｅに設置されたｉ．Linkコネクタ４８に接続される。
【００８８】
これにより、ユーザが、ｉ．Linkコネクタ５８をＨＤＤユニット２０のｉ．Linkコネクタ４８に接続する作業が容易化される。また、信号線４９をＨＤＤユニット２０のガイド溝４３ｆ内に収容することにより、信号線４９が保護されるとともに、スタンド１３の高さを低く抑えることができる。
【００８９】
さらに、ＨＤＤユニット２０をスタンド１３から引き出すための手かけ部４７は、その中心を、ＨＤＤユニット２０の幅方向の中心線Ｃ１よりもＨＤＤ本体５２を収容している部分寄りに設定することにより、ユーザが片手で容易にＨＤＤユニット２０をスタンド１３内から取り出すことが可能となる。
【００９０】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００９１】
【図１】この発明の実施の形態を示すもので、テレビジョン放送受信装置を説明するために示す外観図。
【図２】同実施の形態におけるテレビジョン放送受信装置の信号処理系を説明するために示すブロック構成図。
【図３】同実施の形態におけるテレビジョン放送受信装置のスタンドを背面側から見た状態を説明するために示す斜視図。
【図４】同実施の形態におけるテレビジョン放送受信装置に収容されるＨＤＤユニットを説明するために示す外観図。
【図５】同実施の形態におけるテレビジョン放送受信装置のスタンドを背面側から見た状態を説明するために示す斜視図。
【図６】同実施の形態におけるテレビジョン放送受信装置に収容されるＨＤＤユニットの内部構成を説明するために示す分解斜視図。
【図７】同実施の形態におけるテレビジョン放送受信装置に収容されるＨＤＤユニットの内部構成を説明するために示す斜視図。
【図８】同実施の形態におけるテレビジョン放送受信装置のスタンドにＨＤＤユニットが収容された状態を説明するために示す斜視図。
【図９】同実施の形態におけるテレビジョン放送受信装置のスタンド内部の構成を説明するために示す斜視図。
【図１０】同実施の形態におけるテレビジョン放送受信装置のスタンドにＨＤＤユニットが収容された状態を説明するために示す平面図。
【図１１】同実施の形態におけるテレビジョン放送受信装置のスタンドにＨＤＤユニットが収容された状態を説明するために示す平面図。
【図１２】同実施の形態におけるテレビジョン放送受信装置の信号処理系を説明するために示すブロック構成図。
【符号の説明】
【００９２】
１１…テレビジョン放送受信装置、１２…キャビネット、１３…スタンド、１４…映像表示器、１５…スピーカ、１６…操作部、１７…リモートコントローラ、１８…受光部、１９…支持部材、２０…ＨＤＤユニット、２１…操作子、２２…アンテナ、２３…入力端子、２４…チューナ部、２５…デコーダ部、２６…セレクタ、２７…アンテナ、２８…入力端子、２９…チューナ部、３０…Ａ／D変換部、３１…入力端子、３２…Ａ／Ｄ変換部、３３…入力端子、３４…信号処理部、３５…制御部、３６…メモリ部、３７…ライン、３８…接続部、３９…ライン、４０…ｉ．Link接続部、４１…支持柱体、４２…収容部、４３…ユニットケース、４４…コネクタ、４５…操作片、４６…スイッチ、４７…手かけ部、４８…ｉ．Linkコネクタ、４９…信号線、５０…ねじ、５１…中継用回路基板、５２…ＨＤＤ本体、５３…操作電源用回路基板、５４…制御用回路基板、５５…ファン、５６…シールドケース、５７…電源制御線、５８…ｉ．Linkコネクタ、５９…コネクタ、６０…中継用回路基板、６１…保護経路、６２，６３…ガイド部材、６４…転倒防止バンド。
【図１】
2006246250.tif 000003
【図２】
2006246250.tif 000004
【図３】
2006246250.tif 000005
【図４】
2006246250.tif 000006
【図５】
2006246250.tif 000007
【図６】
2006246250.tif 000008
【図７】
2006246250.tif 000009
【図８】
2006246250.tif 000010
【図９】
2006246250.tif 000011
【図１０】
2006246250.tif 000012
【図１１】
2006246250.tif 000013
【図１２】
2006246250.tif 000014